(57)【要約】      （修正有）【課題】行灯の下足と接続台を組立て脚体とする時、下足と接続台に隙間を生じさせないで結合することが出来るようにする。【解決手段】外方に開くよう湾曲状とした足本体３の上部内側に受部４を突設し、円盤からなる本体１０の底面１０ａ側外周にフランジ１１を設け、中央に固定穴を、更に挿入穴を通し溝を介して固定穴と平行に穿設し、本体１０の上面１０ｂの２箇所に角状の盲穴からなる凹溝を対応設置した接続台９に於いて、受部４の上面内側寄りに盲穴の埋込穴を上面に直交するよう穿設し、締結具の鬼目ナットを埋込穴に埋設した下足２と、底面に本体外径より小径で円筒の凹穴を穿設し、底面と下面１１ａの３箇所に中心より等角で放射状となるよう凹穴より浅い挿入溝を設け、挿入溝の長手方向の中央に取付穴を固定穴と平行に穿設した接続台９と、締結具の鬼目ナットに締結可能な蝶ボルト６ｂとの組合せとする。【選択図】図１
0003115742.tif 000002
【実用新案登録請求の範囲】
【請求項１】
外方に開くよう湾曲状とした足本体の上部内側に受部を足本体下面と受部の上面が平行となるよう突設し、嵌合穴を足本体内側の略中央に穿設した下足・円盤からなる本体の底面側外周にフランジを下面が底面と面一に設け、中央に固定穴を、更に挿入穴を通し溝を介して固定穴と平行に穿設し、本体の上面の２箇所に角状の盲穴からなる凹溝を対応設置した接続台・三角・上足・持ち手・火袋・照明具をそれぞれ別体として組立分解可能とした行灯に於いて、受部の上面内側寄りに盲穴の埋込穴を上面に直交するよう穿設し、締結具の鬼目ナットを埋込穴に埋設した下足と、底面に本体外径より小径で円筒の凹穴を穿設し、底面と下面の３箇所に中心より等角で放射状となるよう凹穴より浅い挿入溝を設け、挿入溝の長手方向の中央に取付穴を固定穴と平行に穿設した接続台と、締結具の鬼目ナットに締結可能な蝶ボルトとの組合せとしたことを特徴とする行灯用脚体。
【考案の詳細な説明】
【技術分野】
【０００１】  本考案は日本の古くから照明として用いられてきている行灯の行灯用脚体に関するものである。
【背景技術】
【０００２】  現在の行灯はお盆や飾り灯或は必要場所に於いての照明と用いられている。
このように用いられている行灯は、下足と接続台とからなる脚体・三角・上足・持ち手・火袋・照明具を組立てて用いるが、脚体の下足と接続台の組立は図７に示す如く下足２４上部内側に突設する挿入部２５を、接続台２６の底面２６ａの３箇所に穿設する盲穴２７にそれぞれ嵌合し、下足２４下方に三角を設けて固定していた。
【考案が解決しようとする課題】
【０００３】  このように接続台２６底面２６ａに穿設する盲穴２７に下足２４上部内側に突設する挿入部２５を挿入して組み立てているが、挿入部２５と盲穴２７の加工は木製のため誤差が十分に取られているため、挿入によって密着して動かなくなるのではなく下足２４が前後に或は左右に動く。
このため図７に示すように、盲穴２７に挿入部２５を挿入すると下足２４上部面２４ａと接続台２６底面２６ａ間が密着せず隙間２８が生じて見苦しく格好が悪くなり行灯使用上非常に不都合を感じていた。
【課題を解決するための手段】
【０００４】  本考案はこのような不都合を解消するもので、飾灯や照明として用いても火袋下足上部面と接続台底面間を密着させて不快感をなくす事が出来るようにした行灯用脚体を提供せんとするものである。
外方に開くよう湾曲状とした足本体の上部内側に受部を足本体下面と受部の上面が平行となるよう突設し、嵌合穴を足本体内側の略中央に穿設した下足・円盤からなる本体の底面側外周にフランジを下面が底面と面一に設け、中央に固定穴を、更に挿入穴を通し溝を介して固定穴と平行に穿設し、本体の上面の２箇所に角状の盲穴からなる凹溝を対応設置した接続台・三角・上足・持ち手・火袋・照明具をそれぞれ別体として組立分解可能とした行灯に於いて、
受部の上面内側寄りに盲穴の埋込穴を上面に直交するよう穿設し、締結具の鬼目ナットを埋込穴に埋設した下足と、
底面に本体外径より小径で円筒の凹穴を穿設し、底面と下面の３箇所に中心より等角で放射状となるよう凹穴より浅い挿入溝を設け、挿入溝の長手方向の中央に取付穴を固定穴と平行に穿設した接続台と、
締結具の鬼目ナットに締結可能な蝶ボルトとの組合せとしたものである。
【０００５】  使用に当たっては、接続台の挿入溝に下足の受部上面を取付け穴と埋込穴が一致するよう嵌合し、締結具の蝶ボルトを取付穴に挿入し、埋込穴の底部に設けている鬼目ナットに蝶ボルトを螺合して締め付け、接続台に下足を固定する。
このようにして三箇所の挿入溝に３本の下足を固定して脚体とする。
締結具によって接続台と下足を挿入溝内で結合するため、結合部が外からは見えなくなると共に、接続台の挿入溝に下足の受部上面が密着し、隙間の発生を確実に無くし見ためもすっきりとし格好良く使用することが出来る。
そして脚体を用いて三角を嵌合穴に嵌合してから上足を凹溝に嵌合して直立設置し、照明具を挿入穴より挿入し通し溝を通して固定穴に移動して接続台に固定し、火袋を上足より被せて上足に上部口輪の掛け紐で引っ掛け下部口輪を接続台上面に設けた止め具にて押さえて球状とし、上足上端に持ち手を設けて行灯に組立て使用する。
【考案の効果】
【０００６】  上述の如く本考案は、締結具によって接続台と下足を挿入溝内で結合するため、結合部が外からは見えなくなると共に、接続台の挿入溝に下足の受部上面が密着し、隙間の発生を確実に無くし見ためもすっきりとし格好良く使用することが出来る。
【考案を実施するための最良の形態】
【０００７】  外方に開くよう湾曲状とした足本体の上部内側に受部を足本体下面と受部の上面が平行となるよう突設し、嵌合穴を足本体内側の略中央に穿設した下足・円盤からなる本体の底面側外周にフランジを下面が底面と面一に設け、中央に固定穴を、更に挿入穴を通し溝を介して固定穴と平行に穿設し、本体の上面の２箇所に角状の盲穴からなる凹溝を対応設置した接続台・三角・上足・持ち手・火袋・照明具をそれぞれ別体として組立分解可能とした行灯に於いて、受部の上面内側寄りに盲穴の埋込穴を上面に直交するよう穿設し、締結具の鬼目ナットを埋込穴に埋設した下足と、底面に本体外径より小径で円筒の凹穴を穿設し、底面と下面の３箇所に中心より等角で放射状となるよう凹穴より浅い挿入溝を設け、挿入溝の長手方向の中央に取付穴を固定穴と平行に穿設した接続台と、締結具の鬼目ナットに締結可能な蝶ボルトとの組合せとしたものである。
【実施例１】
【０００８】  以下本考案の一実施例を図面について説明する。
図中１は脚体全体を示し、２は下足であって、下方に行くに従って広くなり且つ外方に開くよう湾曲状とした足本体３の上部内側に受部４を突設し、足本体３下面３ａと受部４の上面４ａが平行となるよう設けると共に、受部４の上面４ａ内側寄りに盲穴の埋込穴５を上面４ａに直交するよう穿設し、締結具６の鬼目ナット６ａを埋込穴５に埋設し、且つ三角７嵌合用の嵌合穴８を足本体３内側の略中央に穿設している。【０００９】  ９は円盤からなる本体１０の底面１０ａ側外周にフランジ１１を下面１１ａが底面１０ａと面一に設けた接続台であって、底面１０ａに本体１０外径より小径で円筒の凹穴１２を、又中央に照明具１３固定用の固定穴１４を、更に照明具１３の挿入用の挿入穴１５を通溝１６を介して固定穴１４と平行に穿設し、底面１０ａと下面１１ａの３箇所に中心より等角で放射状となるよう凹穴１２より浅く挿入溝１７を設け、挿入溝１７の長手方向の中央に取付穴１８を固定穴１４と平行に穿設している。【００１０】  １９は上足取付用で角状の盲穴からなる凹溝であって、前記接続台本体１０の上面１０ｂの２箇所に挿入穴１５と取付穴１８を外して対応設置している。
２０は座金であって、取付穴１８の接続台本体１０の上面１０ｂに埋設している。
６ｂは締結具６の蝶ボルトであって、前記鬼目ナット６ａに螺合して下足２と接続台９の結合を可能としている。【００１１】  使用に当たっては、接続台９の挿入溝１７に下足２の受部４上面４ａを取付け穴１８と埋込穴５が一致するよう嵌合し、締結具６の蝶ボルト６を取付穴１８に挿入し、埋込穴５の底部に設けている鬼目ナット６ａに蝶ボルト６ｂを螺合して締め付け、接続台９に下足２を固定する。
このようにして三箇所の挿入溝１７に３本の下足２を固定して脚体１とする。  このように締結具６によって接続台９と下足２を挿入溝１７内で結合するため、結合部が外からは見えなくなると共に、接続台９の挿入溝１７に下足２の受部４上面４ａが密着し、隙間の発生を確実に無くし見ためもすっきりとし気持ち良く使用することが出来る。【００１２】  そして脚体１を用いて三角７を嵌合穴８に嵌合してから上足２１を凹溝１９に嵌合して直立設置し、照明具１３を挿入穴１５より挿入し通し溝１６を通して固定穴１４に移動して接続台９に固定し、火袋２２を上足２１より被せて上足２１に上部口輪２２ａの掛け紐２２ｂで引っ掛け下部口輪２２ｃを接続台９上面に設けた止め具にて押さえて球状とし、上足２１上端に持ち手２３を設けて行灯に組立て使用する。
【産業上の利用可能性】
【００１３】  照明具や行灯の脚体として用いることが出来る。
【図面の簡単な説明】
【００１４】
【図１】実施例１の正面図
【図２】実施例１の底面図
【図３】実施例１の下足の一部を破断した正面図
【図４】実施例１の接続台の一部を破断した正面図
【図５】実施例１の接続台の平面図
【図６】実施例１の接続台の底面図
【図７】従来の脚体の一部分の正面図
【符号の説明】
【００１５】  １    脚体
２    下足
３    足本体
３ａ  下面
４    受部
４ａ  上面
５    埋込穴
６    締結具
６ａ  鬼目ナット
６ｂ  蝶ボルト
７    三角
８    嵌合穴
９    接続台
１０    本体
１０ａ  底面
１０ｂ  上面
１１    フランジ
１１ａ  下面
１２    凹穴
１３    照明具
１４    固定穴
１５    挿入穴
１６    通し溝
１７    挿入溝
１８    取付穴
１９    凹溝
【図１】
0003115742.tif 000003
【図２】
0003115742.tif 000004
【図３】
0003115742.tif 000005
【図４】
0003115742.tif 000006
【図５】
0003115742.tif 000007
【図６】
0003115742.tif 000008
【図７】
0003115742.tif 000009